(57)【要約】【課題】バックライト光の利用率および導光板に進入する光の強度を高める。【解決手段】液晶ディスプレイのエッジライト方式のバックライトの輝度改善構造であって、棒状カバー、発光体カバー、出光部、導光板、および、少なくとも一つの発光体を備え、棒状カバーの内側壁には可視光層が設けられ、発光体カバーは棒状カバーの一側から棒状カバーの可視光層の方向に湾曲して形成され、出光部は棒状カバーと発光体の間に形成され、挟持装置はそれぞれ棒状カバーおよび発光体カバーと接続され、導光板は、上層には出光面が下層には光反射面が設けられ、発光体は紫外線または青色光を生成する棒状の灯管またはLEDから構成され、発光体カバー内に設置され、反射される可視光は可視光層の蛍光体または燐光体の表層発光とし、従来技術の発光体による阻止によって全反射できないという欠点を解決し、光線が可視光層を透過して減衰するのを防ぐことができる。【選択図】  図４
0003129322.tif 000002
【実用新案登録請求の範囲】
【請求項１】
棒状カバー、発光体カバー、出光部、導光板および少なくとも一つの発光体を備え、
前記棒状カバーは、内側壁に可視光層が設けられ、
前記発光体カバーは、前記棒状カバーの一側から棒状カバーの可視光層の方向に湾曲されて形成され、
前記出光部は、前記棒状カバーと前記発光体の間に形成され、近側辺には、挟持装置が設けられ、前記挟持装置はそれぞれ前記棒状カバーおよび発光体カバーと接続され、
前記導光板は、上層には出光面が設けられ、下層には光反射面が設けられ、前記出光部の近隣には近側辺が設けられ、前記導光板の近側辺は挟持装置に固定され、
前記少なくとも一つの発光体は、紫外線または青色光を発生させる棒状の管体から構成され、前記発光体カバー内に設置される
ことを特徴とする液晶ディスプレイのエッジライト方式のバックライトの輝度改善構造。
【請求項２】
前記棒状カバーの断面は、幾何学曲線、多辺形またはそれらを組合せたものであることを特徴とする請求項１記載の液晶ディスプレイのエッジライト方式のバックライトの輝度改善構造。
【請求項３】
前記発光体カバーの断面は、幾何学曲線、多辺形またはそれらを組合せたものであることを特徴とする請求項１記載の液晶ディスプレイのエッジライト方式のバックライトの輝度改善構造。
【請求項４】
前記可視光層は、蛍光剤層、燐光層または内側に蛍光剤層か燐光層が塗布された光反射層であることを特徴とする請求項１記載の液晶ディスプレイのエッジライト方式のバックライトの輝度改善構造。
【請求項５】
前記可視光層は、前記発光体カバーの発光体側の内側壁上に延伸して設置されることを特徴とする請求項１記載の液晶ディスプレイのエッジライト方式のバックライトの輝度改善構造。
【請求項６】
前記発光体が青色光のとき、前記可視光層は複数の点状に分布する可視光点から構成されることを特徴とする請求項１記載の液晶ディスプレイのエッジライト方式のバックライトの輝度改善構造。
【請求項７】
前記複数の可視光点の分布面積または分布密度は、発光体から近い一側から発光体から遠い一側に向かって徐々に大きく、高くなることを特徴とする請求項６記載の液晶ディスプレイのエッジライト方式のバックライトの輝度改善構造。
【請求項８】
前記可視光点は、蛍光剤層、燐光層または内側に蛍光剤層か燐光層が塗布された光反射層であることを特徴とする請求項６記載の液晶ディスプレイのエッジライト方式のバックライトの輝度改善構造。
【請求項９】
前記発光体カバーの表層は、光反射層または外部に光反射カバーを加えたものであることを特徴とする請求項１記載の液晶ディスプレイのエッジライト方式のバックライトの輝度改善構造。
【請求項１０】
前記出光部外には紫外線吸収層が設けられることを特徴とする請求項１記載の液晶ディスプレイのエッジライト方式のバックライトの輝度改善構造。
【請求項１１】
前記紫外線吸収層は、透明の二酸化チタン（ＴｉＯ２）層、透明のＩＴＯ薄膜層、紫外線を透過しない透明ガラス板、棒状ガラスまたはそれらを組合せたものであることを特徴とする請求項１０記載の液晶ディスプレイのエッジライト方式のバックライトの輝度改善構造。
【請求項１２】
前記紫外線吸収層は、さらに、少なくとも一つのレンズを備え、前記レンズは前記出光部外に設置されることを特徴とする請求項１０記載の液晶ディスプレイのエッジライト方式のバックライトの輝度改善構造。
【請求項１３】
前記導光板は、矩形または楔形を呈することを特徴とする請求項１記載の液晶ディスプレイのエッジライト方式のバックライトの輝度改善構造。
【請求項１４】
前記導光板の出光面は、前記出光部と垂直でないことを特徴とする請求項１記載の液晶ディスプレイのエッジライト方式のバックライトの輝度改善構造。
【請求項１５】
前記挟持装置の前記導光板側の面上には、可視光層が設けられることを特徴とする請求項１記載の液晶ディスプレイのエッジライト方式のバックライトの輝度改善構造。
【請求項１６】
前記可視光層は、蛍光剤層、燐光層または内側に蛍光剤層か燐光層が塗布された光反射層であることを特徴とする請求項１５記載の液晶ディスプレイのエッジライト方式のバックライトの輝度改善構造。
【請求項１７】
さらに、少なくとも一つのレンズを備え、前記レンズは前記出光部と前記発光体との間の光の進路上に設置されることを特徴とする請求項１記載の液晶ディスプレイのエッジライト方式のバックライトの輝度改善構造。
【請求項１８】
棒状カバー、二つの発光体カバー、出光部、導光板および少なくとも一つの発光体を備え、
前記棒状カバーは、内側壁に可視光層が設けられ、
前記二つの発光体カバーは、前記棒状カバーの両側から前記可視光層の方向にそれぞれ湾曲されて形成され、
前記出光部は、前記棒状カバーと前記発光体の間に形成され、近側辺には、挟持装置が設けられ、前記挟持装置はそれぞれ前記棒状カバーおよび発光体カバーと接続され、
前記導光板は、上層には出光面が設けられ、下層には光反射面が設けられ、前記出光部の近隣には近側辺が設けられ、前記導光板の近側辺は挟持装置に固定され、
前記少なくとも一つの発光体は、紫外線または青色光を発生させる棒状の管体から構成され、前記二つの発光体カバー内にそれぞれ設置される
ことを特徴とする液晶ディスプレイのエッジライト方式のバックライトの輝度改善構造。
【請求項１９】
前記棒状カバーの断面は、幾何学曲線、多辺形またはそれらを組合せたものであることを特徴とする請求項１８記載の液晶ディスプレイのエッジライト方式のバックライトの輝度改善構造。
【請求項２０】
前記発光体カバーの断面は、幾何学曲線、多辺形またはそれらを組合せたものであることを特徴とする請求項１８記載の液晶ディスプレイのエッジライト方式のバックライトの輝度改善構造。
【請求項２１】
前記可視光層は、蛍光剤層、燐光層または内側に蛍光剤層か燐光層が塗布された光反射層であることを特徴とする請求項１８記載の液晶ディスプレイのエッジライト方式のバックライトの輝度改善構造。
【請求項２２】
前記可視光層は、前記発光体カバーの発光体側の内側壁上に延伸して設置されることを特徴とする請求項１８記載の液晶ディスプレイのエッジライト方式のバックライトの輝度改善構造。
【請求項２３】
前記発光体が青色光のとき、前記可視光層は複数の点状に分布する可視光点から構成されることを特徴とする請求項１８記載の液晶ディスプレイのエッジライト方式のバックライトの輝度改善構造。
【請求項２４】
前記複数の可視光点の分布面積または分布密度は、発光体から近い一側から発光体から遠い一側に向かって徐々に大きく、高くなることを特徴とする請求項２３記載の液晶ディスプレイのエッジライト方式のバックライトの輝度改善構造。
【請求項２５】
前記可視光点は、蛍光剤層、燐光層または内側に蛍光剤層か燐光層が塗布された光反射層であることを特徴とする請求項２３記載の液晶ディスプレイのエッジライト方式のバックライトの輝度改善構造。
【請求項２６】
前記発光体カバーの表層は、光反射層または外部に光反射カバーを加えたものであることを特徴とする請求項１８記載の液晶ディスプレイのエッジライト方式のバックライトの輝度改善構造。
【請求項２７】
前記出光部外には紫外線吸収層が設けられることを特徴とする請求項１８記載の液晶ディスプレイのエッジライト方式のバックライトの輝度改善構造。
【請求項２８】
前記紫外線吸収層は、透明の二酸化チタン（ＴｉＯ２）層、透明のＩＴＯ薄膜層、紫外線を透過しない透明ガラス板、棒状ガラスまたはそれらを組合せたものであることを特徴とする請求項２７記載の液晶ディスプレイのエッジライト方式のバックライトの輝度改善構造。
【請求項２９】
前記紫外線吸収層は、さらに、少なくとも一つのレンズを備え、前記レンズは前記出光部外に設置されることを特徴とする請求項２７記載の液晶ディスプレイのエッジライト方式のバックライトの輝度改善構造。
【請求項３０】
前記導光板は、矩形または楔形を呈することを特徴とする請求項１８記載の液晶ディスプレイのエッジライト方式のバックライトの輝度改善構造。
【請求項３１】
前記導光板の出光面は、前記出光部と垂直でないことを特徴とする請求項１８記載の液晶ディスプレイのエッジライト方式のバックライトの輝度改善構造。
【請求項３２】
前記挟持装置の前記導光板側の面上には、可視光層が設けられることを特徴とする請求項１８記載の液晶ディスプレイのエッジライト方式のバックライトの輝度改善構造。
【請求項３３】
前記可視光層は、蛍光剤層、燐光層または内側に蛍光剤層か燐光層が塗布された光反射層であることを特徴とする請求項３２記載の液晶ディスプレイのエッジライト方式のバックライトの輝度改善構造。
【請求項３４】
前記導光板の光反射面および遠側辺外には、光反射カバーが設けられ、前記光反射面と前記光反射カバーとの間には蛍光または燐光点が設けられ、前記蛍光または燐光点の分布面積または分布密度は発光体から近い一側から発光体から遠い一側に向かって徐々に大きく、高くなることを特徴とする請求項１８記載の液晶ディスプレイのエッジライト方式のバックライトの輝度改善構造。
【請求項３５】
さらに、少なくとも一つのレンズを備え、前記レンズは前記出光部と前記発光体との間の光の進路上に設置されることを特徴とする請求項１８記載の液晶ディスプレイのエッジライト方式のバックライトの輝度改善構造。
【請求項３６】
棒状カバー、発光体カバー、出光部、導光板および少なくとも一つの発光体を備え、
前記棒状カバーは、内側壁に可視光層が設けられ、
前記発光体カバーは、前記棒状カバーの一側から前記棒状カバーの可視光層の方向に湾曲されて形成され、
前記出光部は、前記棒状カバーと前記発光体の間に形成され、近側辺には、挟持装置が設けられ、前記挟持装置はそれぞれ前記棒状カバーおよび発光体カバーと接続され、
前記導光板は、上層には出光面が設けられ、下層には光反射面が設けられ、前記出光部の近隣には近側辺が設けられ、前記導光板の近側辺は挟持装置に固定され、
前記少なくとも一つの発光体は、紫外線または青色光を発生させるLEDから構成され、前記発光体カバー内に設置される
ことを特徴とする液晶ディスプレイのエッジライト方式のバックライトの輝度改善構造。
【請求項３７】
前記棒状カバーの断面は、幾何学曲線、多辺形またはそれらを組合せたものであることを特徴とする請求項３６記載の液晶ディスプレイのエッジライト方式のバックライトの輝度改善構造。
【請求項３８】
前記発光体カバーの断面は、幾何学曲線、多辺形またはそれらを組合せたものであることを特徴とする請求項３６記載の液晶ディスプレイのエッジライト方式のバックライトの輝度改善構造。
【請求項３９】
前記可視光層は、蛍光剤層、燐光層または内側に蛍光剤層か燐光層が塗布された光反射層であることを特徴とする請求項３６記載の液晶ディスプレイのエッジライト方式のバックライトの輝度改善構造。
【請求項４０】
前記可視光層は、前記発光体カバーの発光体側の内側壁上に延伸して設置されることを特徴とする請求項３６記載の液晶ディスプレイのエッジライト方式のバックライトの輝度改善構造。
【請求項４１】
前記発光体が青色光のとき、前記可視光層は複数の点状に分布する可視光点から構成されることを特徴とする請求項３６記載の液晶ディスプレイのエッジライト方式のバックライトの輝度改善構造。
【請求項４２】
前記複数の可視光点の分布面積または分布密度は、発光体から近い一側から発光体から遠い一側に向かって徐々に大きく、高くなることを特徴とする請求項４１記載の液晶ディスプレイのエッジライト方式のバックライトの輝度改善構造。
【請求項４３】
前記可視光点は、蛍光剤層、燐光層または内側に蛍光剤層か燐光層が塗布された光反射層であることを特徴とする請求項４１記載の液晶ディスプレイのエッジライト方式のバックライトの輝度改善構造。
【請求項４４】
前記発光体カバーの表層は、光反射層または外部に光反射カバーを加えたものであることを特徴とする請求項３６記載の液晶ディスプレイのエッジライト方式のバックライトの輝度改善構造。
【請求項４５】
前記出光部外には紫外線吸収層が設けられることを特徴とする請求項３６記載の液晶ディスプレイのエッジライト方式のバックライトの輝度改善構造。
【請求項４６】
前記紫外線吸収層は、二酸化チタン（ＴｉＯ２）層、透明のＩＴＯ薄膜層、紫外線を透過しない透明ガラス板、棒状ガラスまたはそれらを組合せたものであることを特徴とする請求項４５記載の液晶ディスプレイのエッジライト方式のバックライトの輝度改善構造。
【請求項４７】
前記紫外線吸収層は、さらに、少なくとも一つのレンズを備え、前記レンズは前記出光部外に設置されることを特徴とする請求項４５記載の液晶ディスプレイのエッジライト方式のバックライトの輝度改善構造。
【請求項４８】
前記導光板は、矩形または楔形を呈することを特徴とする請求項３６記載の液晶ディスプレイのエッジライト方式のバックライトの輝度改善構造。
【請求項４９】
前記導光板の出光面は、前記出光部と垂直でないことを特徴とする請求項３６記載の液晶ディスプレイのエッジライト方式のバックライトの輝度改善構造。
【請求項５０】
前記挟持装置の前記導光板側の面上には、可視光層が設けられることを特徴とする請求項３６記載の液晶ディスプレイのエッジライト方式のバックライトの輝度改善構造。
【請求項５１】
前記可視光層は、蛍光剤層、燐光層または内側に蛍光剤層か燐光層が塗布された光反射層であることを特徴とする請求項５０記載の液晶ディスプレイのエッジライト方式のバックライトの輝度改善構造。
【請求項５２】
前記導光板の光反射面および遠側辺外には、光反射カバーが設けられ、前記光反射面と前記光反射カバーとの間には蛍光点が設けられ、前記蛍光点の分布面積は発光体から近い一側から発光体から遠い一側に向かって徐々に大きくなることを特徴とする請求項３６記載の液晶ディスプレイのエッジライト方式のバックライトの輝度改善構造。
【請求項５３】
前記発光体はリード線付LED、表面粘着型LEDまたはそれらを組合せたものであることを特徴とする請求項３６記載の液晶ディスプレイのエッジライト方式のバックライトの輝度改善構造。
【請求項５４】
さらに、少なくとも一つのレンズを備え、前記レンズは前記出光部と前記発光体との間の光の進路上に設置されることを特徴とする請求項３６記載の液晶ディスプレイのエッジライト方式のバックライトの輝度改善構造。
【請求項５５】
棒状カバー、二つの発光体カバー、出光部、導光板および少なくとも一つの発光体を備え、
前記棒状カバーは、内側壁に可視光層が設けられ、
前記二つの発光体カバーは、前記棒状カバーの両側から前記可視光層の方向に湾曲されて形成され、
前記出光部は、前記棒状カバーと前記発光体の間に形成され、近側辺には、挟持装置が設けられ、前記挟持装置はそれぞれ前記棒状カバーおよび発光体カバーと接続され、
前記導光板は、上層には出光面が設けられ、下層には光反射面が設けられ、前記出光部の近隣には近側辺が設けられ、前記導光板の近側辺は挟持装置に固定され、
前記少なくとも一つの発光体は、紫外線または青色光を発生させるLEDから構成され、前記二つの発光体カバー内にそれぞれ設置される
ことを特徴とする液晶ディスプレイのエッジライト方式のバックライトの輝度改善構造。
【請求項５６】
前記棒状カバーの断面は、幾何学曲線、多辺形またはそれらを組合せたものであることを特徴とする請求項５５記載の液晶ディスプレイのエッジライト方式のバックライトの輝度改善構造。
【請求項５７】
前記発光体カバーの断面は、幾何学曲線、多辺形またはそれらを組合せたものであることを特徴とする請求項５５記載の液晶ディスプレイのエッジライト方式のバックライトの輝度改善構造。
【請求項５８】
前記可視光層は、蛍光剤層、燐光層または内側に蛍光剤層か燐光層が塗布された光反射層であることを特徴とする請求項５５記載の液晶ディスプレイのエッジライト方式のバックライトの輝度改善構造。
【請求項５９】
前記可視光層は、前記発光体カバーの発光体側の内側壁上に延伸して設置されることを特徴とする請求項５５記載の液晶ディスプレイのエッジライト方式のバックライトの輝度改善構造。
【請求項６０】
前記発光体が青色光のとき、前記可視光層は複数の点状に分布する可視光点から構成されることを特徴とする請求項５５記載の液晶ディスプレイのエッジライト方式のバックライトの輝度改善構造。
【請求項６１】
前記複数の可視光点の分布面積または分布密度は、発光体から近い一側から発光体から遠い一側に向かって徐々に大きく、高くなることを特徴とする請求項６０記載の液晶ディスプレイのエッジライト方式のバックライトの輝度改善構造。
【請求項６２】
前記可視光点は、蛍光剤層、燐光層または内側に蛍光剤層か燐光層が塗布された光反射層であることを特徴とする請求項６０記載の液晶ディスプレイのエッジライト方式のバックライトの輝度改善構造。
【請求項６３】
前記発光体カバーの表層は、光反射層または外部に光反射カバーを加えたものであることを特徴とする請求項５５記載の液晶ディスプレイのエッジライト方式のバックライトの輝度改善構造。
【請求項６４】
前記出光部外には紫外線吸収層が設けられることを特徴とする請求項５５記載の液晶ディスプレイのエッジライト方式のバックライトの輝度改善構造。
【請求項６５】
前記紫外線吸収層は、二酸化チタン（ＴｉＯ２）層、透明のＩＴＯ薄膜層、紫外線を透過しない透明ガラス板、棒状ガラスまたはそれらを組合せたものであることを特徴とする請求項６４記載の液晶ディスプレイのエッジライト方式のバックライトの輝度改善構造。
【請求項６６】
前記紫外線吸収層は、さらに、少なくとも一つのレンズを備え、前記レンズは前記出光部外に設置されることを特徴とする請求項６４記載の液晶ディスプレイのエッジライト方式のバックライトの輝度改善構造。
【請求項６７】
前記導光板は、矩形または楔形を呈することを特徴とする請求項５５記載の液晶ディスプレイのエッジライト方式のバックライトの輝度改善構造。
【請求項６８】
前記導光板の出光面は、前記出光部と垂直でないことを特徴とする請求項５５記載の液晶ディスプレイのエッジライト方式のバックライトの輝度改善構造。
【請求項６９】
前記挟持装置の前記導光板側の面上には、可視光層が設けられることを特徴とする請求項５５記載の液晶ディスプレイのエッジライト方式のバックライトの輝度改善構造。
【請求項７０】
前記可視光層は、蛍光剤層、燐光層または内側に蛍光剤層か燐光層が塗布された光反射層であることを特徴とする請求項６９記載の液晶ディスプレイのエッジライト方式のバックライトの輝度改善構造。
【請求項７１】
前記導光板の光反射面および遠側辺外には、光反射カバーが設けられ、前記光反射面と前記光反射カバーとの間には蛍光または燐光点が設けられ、前記蛍光または燐光点の分布面積は発光体から近い一側から発光体から遠い一側に向かって徐々に大きくなることを特徴とする請求項５５記載の液晶ディスプレイのエッジライト方式のバックライトの輝度改善構造。
【請求項７２】
前記発光体はリード線付LED、表面粘着型LEDまたはそれらを組合せたものであることを特徴とする請求項５５記載の液晶ディスプレイのエッジライト方式のバックライトの輝度改善構造。
【請求項７３】
さらに、少なくとも一つのレンズを備え、前記レンズは前記出光部と前記発光体との間の光の進路上に設置されることを特徴とする請求項５５記載の液晶ディスプレイのエッジライト方式のバックライトの輝度改善構造。
【考案の詳細な説明】
【技術分野】
【０００１】
本考案は液晶ディスプレイのエッジライト方式のバックライトの輝度改善構造に関し、特に反射される可視光が主に可視光層の蛍光体または燐光体の表層発光によるものであるバックライトの構造であり、光の利用率および導光板に進入する光の強度を大幅に高めることができ、すべての照明部材、設備、装置への応用および製造関連領域に適用されるバックライトの構造に関する。
【背景技術】
【０００２】
照明部材、設備および装置に関して、灯具照明、展示パネル、警告表示装置または各種電子装置に応用されるすべての発光体は、如何に光利用率を最大限に高めるかを重点として設計されており、蛍光灯に関して述べると、ガラス管内側面に蛍光剤層が塗布され、両端の電極による放電によって紫外線が発生し、その紫外線がガラス管に設けられた蛍光剤層に照射されたとき、蛍光剤層が励起されて可視光を発生するが、蛍光剤が使用されることによって以下の二つの特性を備える。
１  蛍光剤層は一定の厚さを備え、その表面は紫外線が照射されたとき可視光が発生するが、紫外線は表層から深層（または裏層）に照射されるので、紫外線の強度は徐々に弱くなり、深層において生成された可視光は表層よりも弱く、深層の発光が暗くなり、表層の発光が明るくなる構造となる。つまり、蛍光剤は層が厚くなればなるほど、その輝度はより低下する。
２  蛍光層は良好な透明体ではないので、可視光の透過率に大きな影響を与え、可視光強度を弱くしてしまい、表層において発生した可視光が深層を通過するとき、その輝度は低下してしまう。
【０００３】
図１は従来技術の液晶ディスプレイのバックライトモジュールの構造を示す断面図である。バックライトモジュール１は主に上から下層にパネル板１１、拡散シート１２、導光板１３および反射シート１４が重ねられて構成される。導光板１３の側辺または底部には発光体１５が設置され、図１においては発光体１５は導光板１３の側辺に設置されている（即ちエッジライト方式のバックライトモジュールである）。発光体１５外側には半円形の発光体カバー１６が設けられ、発光体カバー１６の阻止および光反射によって、発光体１５の発光方向を導光板１３方向に調整することができ、反射シート１４および拡散シート１２の作用によって、光をパネル板１１上に反射および拡散させて発光させる。パネル板１１に一定の輝度を備えさせ、輝度を均一にするために、発光体１５の発光輝度を高める以外に、発熱および放熱問題を考慮する必要があり、そのために、発光体カバー１６はバックライトモジュール１全体の輝度に大きな影響を与える。発光体１５から放出される光を十分に発光体カバー１６から反射できない場合、後続の導光板１３、反射シート１４および拡散シート１２の出光過程も大きな影響を受ける。現在一般の業者のバックライトモジュールに対する改良は、発光体の輝度改善または拡散シート、導光板および反射シートの構造改良に重点を置いており、例えば、ＬＥＤを発光体としたり、楔形の導光板を設置したり、拡散シート上に微細構造を設置したりしたものがあるが、発光体カバーの構造には未だ改善がなされていない。図１の構造に関して述べると、発光体１５から導光板１３と反対方向に放出される光は発光体１５によって阻止され、発光体カバー１６によってすべての光を導光板１３に反射させることができず、光利用率を高めることができない。
【０００４】
図２は特許文献１の「Backlighting device for liquid crystal displays」の構造を示す断面図であり、紫外線を液晶ディスプレイの液晶表示パネルに投射するバックライト装置であり、紫外線灯管６６、導光板６０、灯枠６７および蛍光層６５を備え、紫外線灯管６６は紫外線６３を放出する。導光板６０は紫外線灯管６６の前部に設置され、可視光を透過でき、前表面、後表面および近側辺を備える。灯枠６７は内表面に紫外線反射シート６４が塗布され、紫外線反射シート６４および前述の導光板６０の近側辺が紫外線灯管６６を被覆する。蛍光層６５は紫外線６３を可視光６２に転換することができ、蛍光層６５は紫外線灯管６６の外表面と導光板６０の近側辺との間に設置される。
【０００５】
前述の構造の特徴として、蛍光層６５が紫外線灯管６６の外表面と導光板６０の近側辺との間に設置されており、紫外線６３が導光板６０に進入するときのみ蛍光層６５を通過するので、可視光６２が蛍光層６５に吸収される比率を減少させることができ、光利用率を高めることができる。しかし、本構造の主な欠点は、その構造が単純に紫外線６３が導光板６０に進入する前に減衰する比率を減少させるだけであり、灯枠６７の構造や光反射特性とは何の関連もなく、紫外線６３が透過する蛍光層６５は、深層発光であり、また透過の優れない透明体であるので、一部の紫外線は蛍光層６５に吸収されてしまい、光利用率はさほど向上しない。
【０００６】
紫外線を放出する蛍光灯以外に、ＬＥＤは、体積が小さいこと、耐振性に優れること、消費電力が少ないこと、低発熱量であることおよび使用寿命が長いことなどから近年照明部材として広く使用され、液晶ディスプレイのバックライトモジュールはその応用領域の一つである。図３は特許文献２の「蛍光粉を備えるＬＥＤバックライトモジュール」の構造を示す断面図である。本構造は蛍光粉１６を導光板１２の出光面２４に設置したバックライトモジュール４０であり、ＬＥＤチップ２８および樹脂３２がケーシング３０内に密封されてＬＥＤ素子１４を構成し、ＬＥＤ素子１４の導光板１２から離れた側の側辺には発光体カバー１８が設けられ、ＬＥＤ素子１４から放出された光線ＬＥＸは入光口２０から本体２２に進入した後、一部が蛍光粉１６によって吸収されて光線ＬPHOを放出し、残りの光線ＬEXと混合されて出光面２４から白色光ＬWHが放出される。本構造の目的は蛍光粉をＬＥＤの表面に被覆したとき蛍光粉が均一に被覆されず、発光効率が優れない問題を解決することにある。
本構造において、蛍光粉１６を出光面２４、反射面２６または本体２２内に設置することができるが、蛍光粉１６を本体２２上に設置しても、すでに本体２２に入射された光線ＬＥＸに対してのみ有効であり、蛍光粉１６は深層発光の一種であるので、発光効率はやはり優れない。
【０００７】
上述の説明から分かるように、従来技術によるバックライトモジュールの出光効率を有効的に高めることができない最も大きな理由は、その出光が蛍光層または燐光層によって構成された可視光層を通過した後の深層発光によるものであり、可視光層が灯管壁または導光板に設置されることによって、光線が可視光層を通過するとき減衰する。
【特許文献１】米国特許５，７３９，８７９号
【特許文献２】台湾専利申請号第９４１２０６６９号
【考案の開示】
【考案が解決しようとする課題】
【０００８】
本考案の目的は、反射される可視光が主に可視光層の蛍光体または燐光体の表層発光によるものであるバックライトの構造であり、光の利用率および導光板に進入する光の強度を大幅に高めることができる液晶ディスプレイのエッジライト方式のバックライトの輝度改善構造を提供することにある。
【課題を解決するための手段】
【０００９】
上述の目的を解決するために、本考案は液晶ディスプレイのエッジライト方式のバックライトの輝度改善構造を提供するものであり、棒状カバー、発光体カバーおよび発光体を備え、棒状カバーの内側壁には可視光層が設けられ、その内面は光反射層とすることができ、発光体カバーは棒状カバーの一側から棒状カバーの可視光層の方向へと湾曲されて形成され、その内面は光反射層とすることができ、発光体は紫外線または青色光を発生させる棒状の管体またはＬＥＤから構成され、発光体カバー内に設置される。
【００１０】
上述の目的を解決するために、本考案は液晶ディスプレイのエッジライト方式のバックライトの輝度改善構造を提供するものであり、棒状カバー、二つの発光体カバーおよび少なくとも一つの発光体を備え、棒状カバーの内側壁には可視光層が設けられ、その内面は光反射層とすることができ、二つの発光体カバーは棒状カバーの両側から棒状カバーの可視光層の方向へそれぞれ湾曲されて形成され、その内面は光反射層とすることができ、少なくとも一つの発光体は紫外線または青色光を発生させることができる棒状の管体またはＬＥＤから構成され、二つの発光体カバー内に設置される。
【００１１】
すなわち、請求項１の考案は、  棒状カバー、発光体カバー、出光部、導光板および少なくとも一つの発光体を備え、前記棒状カバーは、内側壁に可視光層が設けられ、前記発光体カバーは、前記棒状カバーの一側から棒状カバーの可視光層の方向に湾曲されて形成され、前記出光部は、前記棒状カバーと前記発光体の間に形成され、近側辺には、挟持装置が設けられ、前記挟持装置はそれぞれ前記棒状カバーおよび発光体カバーと接続され、前記導光板は、上層には出光面が設けられ、下層には光反射面が設けられ、前記出光部の近隣には近側辺が設けられ、前記導光板の近側辺は挟持装置に固定され、前記少なくとも一つの発光体は、紫外線または青色光を発生させる棒状の管体から構成され、前記発光体カバー内に設置されることを特徴とする液晶ディスプレイのエッジライト方式のバックライトの輝度改善構造である。
請求項２の考案は、前記棒状カバーの断面は、幾何学曲線、多辺形またはそれらを組合せたものであることを特徴とする請求項１記載の液晶ディスプレイのエッジライト方式のバックライトの輝度改善構造である。
請求項３の考案は、前記発光体カバーの断面は、幾何学曲線、多辺形またはそれらを組合せたものであることを特徴とする請求項１記載の液晶ディスプレイのエッジライト方式のバックライトの輝度改善構造である。
請求項４の考案は、前記可視光層は、蛍光剤層、燐光層または内側に蛍光剤層か燐光層が塗布された光反射層であることを特徴とする請求項１記載の液晶ディスプレイのエッジライト方式のバックライトの輝度改善構造である。
請求項５の考案は、前記可視光層は、前記発光体カバーの発光体側の内側壁上に延伸して設置されることを特徴とする請求項１記載の液晶ディスプレイのエッジライト方式のバックライトの輝度改善構造である。
【００１２】
請求項６の考案は、前記発光体が青色光のとき、前記可視光層は複数の点状に分布する可視光点から構成されることを特徴とする請求項１記載の液晶ディスプレイのエッジライト方式のバックライトの輝度改善構造である。
請求項７の考案は、前記複数の可視光点の分布面積または分布密度は、発光体から近い一側から発光体から遠い一側に向かって徐々に大きく、高くなることを特徴とする請求項６記載の液晶ディスプレイのエッジライト方式のバックライトの輝度改善構造である。
請求項８の考案は、前記可視光点は、蛍光剤層、燐光層または内側に蛍光剤層か燐光層が塗布された光反射層であることを特徴とする請求項６記載の液晶ディスプレイのエッジライト方式のバックライトの輝度改善構造である。
請求項９の考案は、前記発光体カバーの表層は、光反射層または外部に光反射カバーを加えたものであることを特徴とする請求項１記載の液晶ディスプレイのエッジライト方式のバックライトの輝度改善構造である。
請求項１０の考案は、前記出光部外には紫外線吸収層が設けられることを特徴とする請求項１記載の液晶ディスプレイのエッジライト方式のバックライトの輝度改善構造である。
請求項１１の考案は、前記紫外線吸収層は、透明の二酸化チタン（ＴｉＯ２）層、透明のＩＴＯ薄膜層、紫外線を透過しない透明ガラス板、棒状ガラスまたはそれらを組合せたものであることを特徴とする請求項１０記載の液晶ディスプレイのエッジライト方式のバックライトの輝度改善構造である。
請求項１２の考案は、前記紫外線吸収層は、さらに、少なくとも一つのレンズを備え、前記レンズは前記出光部外に設置されることを特徴とする請求項１０記載の液晶ディスプレイのエッジライト方式のバックライトの輝度改善構造である。
請求項１３の考案は、前記導光板は、矩形または楔形を呈することを特徴とする請求項１記載の液晶ディスプレイのエッジライト方式のバックライトの輝度改善構造である。
請求項１４の考案は、前記導光板の出光面は、前記出光部と垂直でないことを特徴とする請求項１記載の液晶ディスプレイのエッジライト方式のバックライトの輝度改善構造である。
請求項１５の考案は、前記挟持装置の前記導光板側の面上には、可視光層が設けられることを特徴とする請求項１記載の液晶ディスプレイのエッジライト方式のバックライトの輝度改善構造である。
請求項１６の考案は、前記可視光層は、蛍光剤層、燐光層または内側に蛍光剤層か燐光層が塗布された光反射層であることを特徴とする請求項１５記載の液晶ディスプレイのエッジライト方式のバックライトの輝度改善構造である。
請求項１７の考案は、さらに、少なくとも一つのレンズを備え、前記レンズは前記出光部と前記発光体との間の光の進路上に設置されることを特徴とする請求項１記載の液晶ディスプレイのエッジライト方式のバックライトの輝度改善構造である。
【００１３】
請求項１８の考案は、棒状カバー、二つの発光体カバー、出光部、導光板および少なくとも一つの発光体を備え、前記棒状カバーは、内側壁に可視光層が設けられ、
前記二つの発光体カバーは、前記棒状カバーの両側から前記可視光層の方向にそれぞれ湾曲されて形成され、前記出光部は、前記棒状カバーと前記発光体の間に形成され、近側辺には、挟持装置が設けられ、前記挟持装置はそれぞれ前記棒状カバーおよび発光体カバーと接続され、前記導光板は、上層には出光面が設けられ、下層には光反射面が設けられ、前記出光部の近隣には近側辺が設けられ、前記導光板の近側辺は挟持装置に固定され、前記少なくとも一つの発光体は、紫外線または青色光を発生させる棒状の管体から構成され、前記二つの発光体カバー内にそれぞれ設置されることを特徴とする液晶ディスプレイのエッジライト方式のバックライトの輝度改善構造である。
請求項１９の考案は、前記棒状カバーの断面は、幾何学曲線、多辺形またはそれらを組合せたものであることを特徴とする請求項１８記載の液晶ディスプレイのエッジライト方式のバックライトの輝度改善構造である。
請求項２０の考案は、前記発光体カバーの断面は、幾何学曲線、多辺形またはそれらを組合せたものであることを特徴とする請求項１８記載の液晶ディスプレイのエッジライト方式のバックライトの輝度改善構造である。
請求項２１の考案は、前記可視光層は、蛍光剤層、燐光層または内側に蛍光剤層か燐光層が塗布された光反射層であることを特徴とする請求項１８記載の液晶ディスプレイのエッジライト方式のバックライトの輝度改善構造である。
請求項２２の考案は、前記可視光層は、前記発光体カバーの発光体側の内側壁上に延伸して設置されることを特徴とする請求項１８記載の液晶ディスプレイのエッジライト方式のバックライトの輝度改善構造である。
請求項２３の考案は、前記発光体が青色光のとき、前記可視光層は複数の点状に分布する可視光点から構成されることを特徴とする請求項１８記載の液晶ディスプレイのエッジライト方式のバックライトの輝度改善構造である。
請求項２４の考案は、前記複数の可視光点の分布面積または分布密度は、発光体から近い一側から発光体から遠い一側に向かって徐々に大きく、高くなることを特徴とする請求項２３記載の液晶ディスプレイのエッジライト方式のバックライトの輝度改善構造である。
【００１４】
請求項２５の考案は、前記可視光点は、蛍光剤層、燐光層または内側に蛍光剤層か燐光層が塗布された光反射層であることを特徴とする請求項２３記載の液晶ディスプレイのエッジライト方式のバックライトの輝度改善構造である。
請求項２６の考案は、前記発光体カバーの表層は、光反射層または外部に光反射カバーを加えたものであることを特徴とする請求項１８記載の液晶ディスプレイのエッジライト方式のバックライトの輝度改善構造である。
請求項２７の考案は、前記出光部外には紫外線吸収層が設けられることを特徴とする請求項１８記載の液晶ディスプレイのエッジライト方式のバックライトの輝度改善構造である。
請求項２８の考案は、前記紫外線吸収層は、透明の二酸化チタン（ＴｉＯ２）層、透明のＩＴＯ薄膜層、紫外線を透過しない透明ガラス板、棒状ガラスまたはそれらを組合せたものであることを特徴とする請求項２７記載の液晶ディスプレイのエッジライト方式のバックライトの輝度改善構造である。
請求項２９の考案は、前記紫外線吸収層は、さらに、少なくとも一つのレンズを備え、前記レンズは前記出光部外に設置されることを特徴とする請求項２７記載の液晶ディスプレイのエッジライト方式のバックライトの輝度改善構造である。
請求項３０の考案は、前記導光板は、矩形または楔形を呈することを特徴とする請求項１８記載の液晶ディスプレイのエッジライト方式のバックライトの輝度改善構造である。
請求項３１の考案は、前記導光板の出光面は、前記出光部と垂直でないことを特徴とする請求項１８記載の液晶ディスプレイのエッジライト方式のバックライトの輝度改善構造である。
請求項３２の考案は、前記挟持装置の前記導光板側の面上には、可視光層が設けられることを特徴とする請求項１８記載の液晶ディスプレイのエッジライト方式のバックライトの輝度改善構造である。
請求項３３の考案は、前記可視光層は、蛍光剤層、燐光層または内側に蛍光剤層か燐光層が塗布された光反射層であることを特徴とする請求項３２記載の液晶ディスプレイのエッジライト方式のバックライトの輝度改善構造である。
請求項３４の考案は、前記導光板の光反射面および遠側辺外には、光反射カバーが設けられ、前記光反射面と前記光反射カバーとの間には蛍光または燐光点が設けられ、前記蛍光または燐光点の分布面積または分布密度は発光体から近い一側から発光体から遠い一側に向かって徐々に大きく、高くなることを特徴とする請求項１８記載の液晶ディスプレイのエッジライト方式のバックライトの輝度改善構造である。
請求項３５の考案は、さらに、少なくとも一つのレンズを備え、前記レンズは前記出光部と前記発光体との間の光の進路上に設置されることを特徴とする請求項１８記載の液晶ディスプレイのエッジライト方式のバックライトの輝度改善構造である。
【００１５】
請求項３６の考案は、棒状カバー、発光体カバー、出光部、導光板および少なくとも一つの発光体を備え、前記棒状カバーは、内側壁に可視光層が設けられ、前記発光体カバーは、前記棒状カバーの一側から前記棒状カバーの可視光層の方向に湾曲されて形成され、前記出光部は、前記棒状カバーと前記発光体の間に形成され、近側辺には、挟持装置が設けられ、前記挟持装置はそれぞれ前記棒状カバーおよび発光体カバーと接続され、前記導光板は、上層には出光面が設けられ、下層には光反射面が設けられ、前記出光部の近隣には近側辺が設けられ、前記導光板の近側辺は挟持装置に固定され、前記少なくとも一つの発光体は、紫外線または青色光を発生させるLEDから構成され、前記発光体カバー内に設置されることを特徴とする液晶ディスプレイのエッジライト方式のバックライトの輝度改善構造である。
請求項３７の考案は、前記棒状カバーの断面は、幾何学曲線、多辺形またはそれらを組合せたものであることを特徴とする請求項３６記載の液晶ディスプレイのエッジライト方式のバックライトの輝度改善構造である。
請求項３８の考案は、前記発光体カバーの断面は、幾何学曲線、多辺形またはそれらを組合せたものであることを特徴とする請求項３６記載の液晶ディスプレイのエッジライト方式のバックライトの輝度改善構造である。
請求項３９の考案は、前記可視光層は、蛍光剤層、燐光層または内側に蛍光剤層か燐光層が塗布された光反射層であることを特徴とする請求項３６記載の液晶ディスプレイのエッジライト方式のバックライトの輝度改善構造である。
請求項４０の考案は、前記可視光層は、前記発光体カバーの発光体側の内側壁上に延伸して設置されることを特徴とする請求項３６記載の液晶ディスプレイのエッジライト方式のバックライトの輝度改善構造である。
請求項４１の考案は、前記発光体が青色光のとき、前記可視光層は複数の点状に分布する可視光点から構成されることを特徴とする請求項３６記載の液晶ディスプレイのエッジライト方式のバックライトの輝度改善構造である。
請求項４２の考案は、前記複数の可視光点の分布面積または分布密度は、発光体から近い一側から発光体から遠い一側に向かって徐々に大きく、高くなることを特徴とする請求項４１記載の液晶ディスプレイのエッジライト方式のバックライトの輝度改善構造である。
【００１６】
請求項４３の考案は、前記可視光点は、蛍光剤層、燐光層または内側に蛍光剤層か燐光層が塗布された光反射層であることを特徴とする請求項４１記載の液晶ディスプレイのエッジライト方式のバックライトの輝度改善構造である。
請求項４４の考案は、前記発光体カバーの表層は、光反射層または外部に光反射カバーを加えたものであることを特徴とする請求項３６記載の液晶ディスプレイのエッジライト方式のバックライトの輝度改善構造である。
請求項４５の考案は、前記出光部外には紫外線吸収層が設けられることを特徴とする請求項３６記載の液晶ディスプレイのエッジライト方式のバックライトの輝度改善構造である。
請求項４６の考案は、前記紫外線吸収層は、二酸化チタン（ＴｉＯ２）層、透明のＩＴＯ薄膜層、紫外線を透過しない透明ガラス板、棒状ガラスまたはそれらを組合せたものであることを特徴とする請求項４５記載の液晶ディスプレイのエッジライト方式のバックライトの輝度改善構造である。
請求項４７の考案は、前記紫外線吸収層は、さらに、少なくとも一つのレンズを備え、前記レンズは前記出光部外に設置されることを特徴とする請求項４５記載の液晶ディスプレイのエッジライト方式のバックライトの輝度改善構造である。
請求項４８の考案は、前記導光板は、矩形または楔形を呈することを特徴とする請求項３６記載の液晶ディスプレイのエッジライト方式のバックライトの輝度改善構造である。
請求項４９の考案は、前記導光板の出光面は、前記出光部と垂直でないことを特徴とする請求項３６記載の液晶ディスプレイのエッジライト方式のバックライトの輝度改善構造である。
請求項５０の考案は、前記挟持装置の前記導光板側の面上には、可視光層が設けられることを特徴とする請求項３６記載の液晶ディスプレイのエッジライト方式のバックライトの輝度改善構造である。
請求項５１の考案は、前記可視光層は、蛍光剤層、燐光層または内側に蛍光剤層か燐光層が塗布された光反射層であることを特徴とする請求項５０記載の液晶ディスプレイのエッジライト方式のバックライトの輝度改善構造である。
請求項５２の考案は、前記導光板の光反射面および遠側辺外には、光反射カバーが設けられ、前記光反射面と前記光反射カバーとの間には蛍光点が設けられ、前記蛍光点の分布面積は発光体から近い一側から発光体から遠い一側に向かって徐々に大きくなることを特徴とする請求項３６記載の液晶ディスプレイのエッジライト方式のバックライトの輝度改善構造である。
請求項５３の考案は、前記発光体はリード線付LED、表面粘着型LEDまたはそれらを組合せたものであることを特徴とする請求項３６記載の液晶ディスプレイのエッジライト方式のバックライトの輝度改善構造である。
請求項５４の考案は、さらに、少なくとも一つのレンズを備え、前記レンズは前記出光部と前記発光体との間の光の進路上に設置されることを特徴とする請求項３６記載の液晶ディスプレイのエッジライト方式のバックライトの輝度改善構造である。
【００１７】
請求項５５の考案は、棒状カバー、二つの発光体カバー、出光部、導光板および少なくとも一つの発光体を備え、前記棒状カバーは、内側壁に可視光層が設けられ、前記二つの発光体カバーは、前記棒状カバーの両側から前記可視光層の方向に湾曲されて形成され、前記出光部は、前記棒状カバーと前記発光体の間に形成され、近側辺には、挟持装置が設けられ、前記挟持装置はそれぞれ前記棒状カバーおよび発光体カバーと接続され、前記導光板は、上層には出光面が設けられ、下層には光反射面が設けられ、前記出光部の近隣には近側辺が設けられ、前記導光板の近側辺は挟持装置に固定され、前記少なくとも一つの発光体は、紫外線または青色光を発生させるLEDから構成され、前記二つの発光体カバー内にそれぞれ設置されることを特徴とする液晶ディスプレイのエッジライト方式のバックライトの輝度改善構造である。
請求項５６の考案は、前記棒状カバーの断面は、幾何学曲線、多辺形またはそれらを組合せたものであることを特徴とする請求項５５記載の液晶ディスプレイのエッジライト方式のバックライトの輝度改善構造である。
請求項５７の考案は、前記発光体カバーの断面は、幾何学曲線、多辺形またはそれらを組合せたものであることを特徴とする請求項５５記載の液晶ディスプレイのエッジライト方式のバックライトの輝度改善構造である。
請求項５８の考案は、前記可視光層は、蛍光剤層、燐光層または内側に蛍光剤層か燐光層が塗布された光反射層であることを特徴とする請求項５５記載の液晶ディスプレイのエッジライト方式のバックライトの輝度改善構造である。
請求項５９の考案は、前記可視光層は、前記発光体カバーの発光体側の内側壁上に延伸して設置されることを特徴とする請求項５５記載の液晶ディスプレイのエッジライト方式のバックライトの輝度改善構造である。
請求項６０の考案は、前記発光体が青色光のとき、前記可視光層は複数の点状に分布する可視光点から構成されることを特徴とする請求項５５記載の液晶ディスプレイのエッジライト方式のバックライトの輝度改善構造である。
請求項６１の考案は、前記複数の可視光点の分布面積または分布密度は、発光体から近い一側から発光体から遠い一側に向かって徐々に大きく、高くなることを特徴とする請求項６０記載の液晶ディスプレイのエッジライト方式のバックライトの輝度改善構造である。
請求項６２の考案は、前記可視光点は、蛍光剤層、燐光層または内側に蛍光剤層か燐光層が塗布された光反射層であることを特徴とする請求項６０記載の液晶ディスプレイのエッジライト方式のバックライトの輝度改善構造である。
請求項６３の考案は、前記発光体カバーの表層は、光反射層または外部に光反射カバーを加えたものであることを特徴とする請求項５５記載の液晶ディスプレイのエッジライト方式のバックライトの輝度改善構造である。
請求項６４の考案は、前記出光部外には紫外線吸収層が設けられることを特徴とする請求項５５記載の液晶ディスプレイのエッジライト方式のバックライトの輝度改善構造である。
請求項６５の考案は、前記紫外線吸収層は、二酸化チタン（ＴｉＯ２）層、透明のＩＴＯ薄膜層、紫外線を透過しない透明ガラス板、棒状ガラスまたはそれらを組合せたものであることを特徴とする請求項６４記載の液晶ディスプレイのエッジライト方式のバックライトの輝度改善構造である。
【００１８】
請求項６６の考案は、前記紫外線吸収層は、さらに、少なくとも一つのレンズを備え、前記レンズは前記出光部外に設置されることを特徴とする請求項６４記載の液晶ディスプレイのエッジライト方式のバックライトの輝度改善構造である。
請求項６７の考案は、前記導光板は、矩形または楔形を呈することを特徴とする請求項５５記載の液晶ディスプレイのエッジライト方式のバックライトの輝度改善構造である。
請求項６８の考案は、前記導光板の出光面は、前記出光部と垂直でないことを特徴とする請求項５５記載の液晶ディスプレイのエッジライト方式のバックライトの輝度改善構造である。
請求項６９の考案は、前記挟持装置の前記導光板側の面上には、可視光層が設けられることを特徴とする請求項５５記載の液晶ディスプレイのエッジライト方式のバックライトの輝度改善構造である。
請求項７０の考案は、前記可視光層は、蛍光剤層、燐光層または内側に蛍光剤層か燐光層が塗布された光反射層であることを特徴とする請求項６９記載の液晶ディスプレイのエッジライト方式のバックライトの輝度改善構造である。
請求項７１の考案は、前記導光板の光反射面および遠側辺外には、光反射カバーが設けられ、前記光反射面と前記光反射カバーとの間には蛍光または燐光点が設けられ、前記蛍光または燐光点の分布面積は発光体から近い一側から発光体から遠い一側に向かって徐々に大きくなることを特徴とする請求項５５記載の液晶ディスプレイのエッジライト方式のバックライトの輝度改善構造である。
請求項７２の考案は、前記発光体はリード線付LED、表面粘着型LEDまたはそれらを組合せたものであることを特徴とする請求項５５記載の液晶ディスプレイのエッジライト方式のバックライトの輝度改善構造である。
請求項７３の考案は、さらに、少なくとも一つのレンズを備え、前記レンズは前記出光部と前記発光体との間の光の進路上に設置されることを特徴とする請求項５５記載の液晶ディスプレイのエッジライト方式のバックライトの輝度改善構造である。
【００１９】
以上の棒状カバーおよび発光体カバー内の紫外線または青色光が照射される区域内の棒状カバー、発光体カバーおよび発光体の部分を密封して真空にし、不活性気体を充填することができ、この技術は従来技術の灯管の製作方法と類似し、本考案は発光輝度改善の構造に対するものであるので、不活性気体の密封に関しては詳細な説明は行わない。
【考案の効果】
【００２０】
本考案の液晶ディスプレイのエッジライト方式のバックライトの輝度改善構造は、反射される可視光が可視光層の蛍光体または燐光体の表層発光を主とし、従来技術のように、発光体の阻止によって全反射できない欠点を解決し、同時に光線が蛍光体を透過して減衰するのを防止でき、すべての照明部材、設備、装置および製品の領域に適用される。
【考案を実施するための最良の形態】
【００２１】
本考案の目的を達成するために使用した技術手段および効果を示す実施例を図面に沿って詳細に説明するが、以下の図面によって列挙された実施例は説明補助のためのものであり、本考案の技術手段は列挙された図面の内容のみに制限されない。
【００２２】
図４は本考案の液晶ディスプレイのエッジライト方式のバックライトの輝度改善構造を示し、バックライト構造２は、棒状カバー３、発光体カバー４および発光体５を備える。棒状カバー３の内側壁には可視光層６が設けられる。発光体カバー４は棒状カバー３の一側から棒状カバー３の可視光層６の方向に湾曲されて形成される。発光体カバー４内には光反射層２１が設置される。発光体５は紫外線または青色光を発生させることができる棒状の管体から構成され、発光体カバー４内に設置され、棒状カバー３、発光体カバー４および発光体５はすべて長い棒状なので断面図を使用して説明を行う。
【００２３】
図４に示すように、棒状カバー３および発光体カバー４の断面は円弧状である。可視光層６は蛍光剤層、燐光層または内側に蛍光剤層または燐光層が塗布された光反射層から構成される。また、青色の発光体５と黄色粉とを組合せて調光するために、可視光層６の塗布は複数の点状に分布する可視光点から構成することができ、発光体５から放出される紫外線または青色光５１は可視光層６上に投射され、励起されて可視光５２が反射され、棒状カバー３と発光体カバー４との間に形成された出光部７から放出される。紫外線および可視光について述べると、良好な設計の光反射装置の効率は蛍光体の透過率よりもはるかに優れ、可視光５２は可視光層６の発光体または燐光体の表層発光を主とするので、蛍光体の深層発光による効率が悪いという欠点を解決でき、同時に光線が可視光層を透過して減衰するのを防ぐことができ、光利用率を大幅に高め、バックライトの輝度を顕著に改善する。
【００２４】
図５は出光部７に導光板８を接続した実施例を示し、導光板８は、出光部７に近隣する近側辺８１、光反射面８２、出光面８３および出光部７から離れた遠側辺８４を備える。導光板８の近側辺８１には挟持装置３１、４１が設けられ、挟持装置３１、４１は棒状カバー３および発光体カバー４に接続され、それによって導光板８の近側辺８１は出光部７外部に固定される。近側辺８１と出光部７との間には紫外線吸収層９が設けられ、紫外線吸収層９は、透明の二酸化チタン（ＴiＯ2）層、透明のＩＴＯ(スズ添加酸化インジウム)薄膜層、紫外線を透過しない透明ガラス板または棒状ガラスなどであり、その作用は紫外線を吸収することにあり、紫外線が外部に漏れて人体または物体に害を与えるのを防ぐ。また、導光板８は一般に樹脂から製作され、紫外線吸収層９の設置により、導光板８が残存する少量の紫外線の長期作用によって黄色くなるのを防止でき、仮にガラス材料からなる導光板８を採用する場合、紫外線吸収層９を設置する必要はない。
【００２５】
さらに、図６に示すように、図５に示す紫外線吸収層９は凸レンズに変更することができ、それによってより多くの全反射光５２を導光板８に進入させることができ、本実施例のその他の部材は図５に示す実施例と同一で作用も同一であるので、これ以上の説明は行わない。
【００２６】
図７は図５に示す実施例に基づいており、バックライト構造２は、棒状カバー３、発光体カバー４および発光体５を備える。棒状カバー３の内側壁には可視光層６が設けられる。発光体カバー４内には光反射層２１が設置され、棒状カバー３と発光体カバー４との間には出光部７が形成され、出光部７には導光板８が接続され、導光板８は近側辺８１、光反射面８２、出光面８３および遠側辺８４を備え、導光板８の近側側８１には挟持装置３１、４１が設けられ、挟持装置３１、４１は棒状カバー３および発光体カバー４と接続され、それによって導光板８の近側辺８１は出光部７外に固定される。近側辺８１と出光部７との間には紫外線吸収層１９が設けられ、上述の各部材の機能は図５と同一であるのでこれ以上は説明をしない。図７の実施例と図５の実施例との違いは、図５の出光部７は垂直の設置角度θ１を備え、図７の出光部７は非垂直の設置角度θ２を備え、設置角度θ２に合わせるために、紫外線吸収層１９が楔形を呈す点と、挟持装置３１、４１の導光板８の側の面上に可視光層３１１、４１１が設けられ、可視光層３１１、４１１は光反射層である点である。図７の実施例において、バックライト構造２において、導光板８の設置角度は実際の必要に応じて変更することができ、導光板８の出光面８３は出光部７に垂直に設置しなくてもよく、導光板８の外形は矩形または楔形の導光板とすることができ、このことは一般に熟知されることであるので詳細な説明は行わない。
【００２７】
図８、９、１０は本考案の発光体設置方式の異なる形態を示したものであり、すべて図７の構造を基本としている。従って同一の部材の作用は図７の説明内容を参考にすることができ、ここでは異なる点についてのみ説明を行う。図８に示す実施例の異なる点は、並列の二つの発光体５ａ、５ｂが設置され、両発光体５ａ、５ｂは発光体カバー４から露出しており、両発光体５ａ、５ｂから放出される紫外線が可視光層６上に直接投射される点である。図９に示す実施例の異なる点は、並列に設置された両発光体５ｃ、５ｄにおいて、一つの発光体５ｃのみが発光体カバー４から露出しており、発光体５ｃから放出される紫外線が可視光層６上に直接投射される点である。図１０に示す実施例の異なる点は、発光体５ｅがＬＥＤである点であり、注意すべき点として、青色光を発生させるＬＥＤを発光体５ｅとするとき、図７に示す紫外線吸収層１９を設置する必要はなく、導光板８の近側辺８１を延伸して直接出光部７と接続でき、可視光層６には黄色光を発生させることができる蛍光粉が設置され、それによって白色光を形成する。上述の説明から分かるように、本考案は異なる種類の発光素子を発光体とすることができ、上述の紫外線灯管またはＬＥＤ以外に、リード線付ＬＥＤ、表面粘着型ＬＥＤまたはそれらを組合わせたＬＥＤとすることができ、実際の必要に応じて採用した発光体を発光体カバー４内に配列し、発光体カバー４の外形を設置される発光体の種類の違いまたは数量によって変更することができる。
【００２８】
図１１、１２、１３、１４、１５、１６は本考案のバックライト構造２ａ、２ｂ、２ｃ、２ｄ、２ｅ、２ｆの異なる実施形態を示す断面図である。すべて図４の構造に基づいているので、同一の部材の作用は図４の説明内容に示す通りであり、ここでは異なる点についてのみ説明を行う。図から分かるように、バックライト構造２ａ、２ｂ、２ｃ、２ｄ、２ｅ、２ｆの異なる点は異なる断面の棒状カバー３ａ、３ｂ、３ｃ、３ｄ、３ｅ、３ｆを備える点であり、図１１に示すように棒状カバー３ａは内側に広がった放物線形を呈し、図１２に示すように３ｂは外側に広がった放物線形を呈し、３ｃ、３ｄ、３ｅはそれぞれ三角形、矩形、楔形（台形）を呈し、３ｆは曲線と直辺との組み合わせである。このことから分かるように、本考案の提供する棒状カバー３ａ、３ｂ、３ｃ、３ｄ、３ｅ、３ｆの断面は、幾何学曲線、多辺形またはその組合わせとすることができ、図１１、１２、１３、１４、１５、１６に示す実施例と図８、９、１０に示す異なる設置形態の発光体とをお互いに組合せることができるので、発光体カバー４の断面も幾何学曲線、多辺形またはその組合せとすることができる。
【００２９】
図１７は図１６に示す実施例に基づいた他の実施例を示す断面図である。バックライト構造２０は棒状カバー３０、発光体カバー４０および発光体５０を備え、棒状カバー３０の内側壁には可視光層６０が設けられ、棒状カバー３０と発光体カバー４０との間には出光部７０が形成され、出光部７０は導光板（図示せず）と接続することができる。本実施例の特徴は、発光体５０と発光体カバー４０との間に光反射層６１が設けられている点であり、光反射層６１は可視光層６０から延伸されて設置され、同様に、可視光層６０は蛍光剤層、燐光層または内側に蛍光剤層か燐光層が塗布された光反射層である。
【００３０】
図１８は図１７に示す実施例に基づいた他の実施例を示す断面図である。バックライト構造１２０は棒状カバー１３０、発光体カバー１４０および発光体１５０を備え、棒状カバー１３０の内側壁には可視光層１６０が設けられ、棒状カバー１３０と発光体カバー１４０との間には出光部１７０が形成される。
【００３１】
本実施例の特徴として、
１  可視光層１６０は蛍光剤層、燐光層および内側に蛍光剤層か燐光層が塗布された光反射層の中から自由に選択することができる。
２  複数の光反射性を備える光反射シート１９１から構成されるブラインド状の構造を備え、複数の光反射シート１９１は出光部１７０に設置され、発光体１５０の反射および可視光層１６０からの光線を受けるのに使用され、同様に、複数の反射シート１９１間の間隔は発光体１５０に近い一側から発光体１５０から離れる一側に向かって徐々に拡大していき、それによって発光体１５０の深層発光部分の光反射シート１９１は大きな間隔を備えるので、多くの光線を通過させることができ、反対に、発光体１５０に近い光反射シート１９１は短い間隔を備えるので、光線の通過を阻止することができ、このように、放出される光線を調整する目的を達成でき、出光部１７０から放出される反射光は均一となる。
３  レンズ２００を備え、レンズ２００は出光部１７０と発光体１５０との間の光の進路上に設置され、レンズ２００は図に示すように両面凸面レンズ、片面凸面レンズ、複数の突起を備えるレンズまたはそれらを組合わせたものとすることができ、レンズ２００の作用は発光体１５０が生成した紫外線または青色光１５１を集中させ、レンズ２００から均一に可視光層１６０に向かって放出させることである。
【００３２】
上述の特徴以外に、同様に、出光部１７０上には紫外線吸収層１９０が設けられ、紫外線吸収層１９０外には導光板（図示せず）を接続することができ、その作用は図５、６、７、８、９、１０に示す実施例と同一である。図６に示す実施例と同じ原理で、本実施例の発光体１５０は紫外線発光体であり、レンズ２００が出光部１７０内に設置されるので、レンズ２００は紫外線を透過する石英材料を採用する必要がある。
【００３３】
図１９は図１７に示す実施例に基づいた他の実施例のもう一つの実施形態を示す断面図である。バックライト構造２２０は棒状カバー２３０、発光体カバー２４０および発光体２５０を備え、棒状カバー２３０の内側壁には可視光層２６０が設けられ、棒状カバー２３０と発光体カバー２４０との間には出光部２７０が形成される。発光体カバー２４０内には光反射層２５１が設置され、出光部２７０には紫外線吸収層２９０が設けられ、導光板２８０が接続される。発光体２５０から放出された光線は可視光層２６０の蛍光体または燐光体の表層発光を主とし、導光板２８０に完全に反射させることができ、従来技術における発光体によって阻止され、全反射できないという欠点を解決でき、同時に光線が蛍光体を透過することによって減衰する欠点も解決できる。
【００３４】
図２０は本考案の対称の発光体を設置した状態を示す断面図である。本実施例は図５に示す実施例を基本としており、バックライト構造３２０は棒状カバー３３０、棒状カバー３３０の上下側部に対称に設置された二つの発光体カバー３４０を備え、発光体カバー３４０内には光反射カバー３５１および発光体３５０が設けられ、棒状カバー３３０の内側壁には可視光層３６０が設けられ、棒状カバー３３０と発光体カバー３４０との間には出光部３７０が形成される。出光部３７０には紫外線吸収層３９０が設けられ、導光板３８０が接続される。両発光体３５０を図６、７、８、９、１０に示す発光体の設置形態で設置することができ、図１１、１２、１３、１４、１５、１６、１７、１８に示すカバーの設置形態と組合わせることができる。
【００３５】
図２１は図１８に示す実施例に基づいた他の実施例を示す断面図である。バックライト構造４２０は棒状発光体カバー４３０および発光体４５０を備え、発光体カバー４３０内には光反射カバー４２１が設置され、発光体４５０は紫外線または青色光を発生させることができる棒状の管体から構成され、上方には紫外線吸収層４２２が設けられる。棒状カバー４３０は出光部４７０を備え、出光部４７０外部は挟持装置４３１、４４１によって導光板８が接続され、導光板８は石英材料であり、近側辺８１、光反射面８２、出光面８３および遠側辺８４を備える。導光板８の光反射面８２および遠側辺８４外部には光反射カバー４８０が設けられ、光反射面８２底部と光反射カバー４８０との間には蛍光または燐光点４６１が設けられる。蛍光または燐光点４６１の分布方式は導光板８の近側辺８１から遠側辺８４に向かって徐々に間隔が狭くなるように設置され、蛍光点４６１の大きさは徐々に大きくなる。それによって、複数の可視光点である蛍光または燐光点４６１の分布面積または分布密度は発光体４５０に近い一側から発光体４５０から遠い一側に向かって大きく、高くなるので、発光体４５０の深層発光部分は大きな面積を備え、出光面８３から放出される光線をさらに均一にすることができる。
【００３６】
図２２は図２１に示す実施例に基づいた他の実施例を示す断面図である。バックライト構造５２０は棒状カバー５３０および少なくとも一つの紫外線または青色光を発生させることができる発光体５５０を備え、棒状カバー５３０は出光部５７０を備え、出光部５７０外部には挟持装置５３１、５４１によって導光板８が接続され、上方には紫外線吸収層５２２が設けられ、導光板８は近側辺８１を備え、下層には光反射面８２、上層には出光面８３および遠側辺８４が設けられ、導光板８の光反射面８２および遠側辺８４外部には光反射カバー５８０が設けられ、光反射面８２の底部と光反射カバー５８０との間には蛍光または燐光点５６１が設けられ、上述の部材の機能作用は図２１と同一であるので、これ以上の説明は行わない。本実施例の特徴は、発光体５５０が少なくとも一つの青色光を放出できるLEDである点であり、発光体５５０の光中心軸５５１と光反射面８２の垂直法線Lは挟角θ３を備え、挟角θ３の設置によって、発光体５５０は導光板８に対して斜めに発光し、徐々に間隔が狭くなるように設置された蛍光点５６１と組合わさって、多くの全反射光線を形成し、出光面８３から放出される光線をさらに均一にすることができる。また、図２１の棒状管体の発光体４５０と図２２のLEDの発光体５５０とを交換して使用することができる。即ち、図２２の発光体５５０を図２１の棒状カバー４３０内に設置することもでき、図２１の発光体４５０を図２２の棒状カバー５３０内に設置することもでき、どちらも同一の効果を達成できる。
【００３７】
また、本考案のすべての実施例において、棒状カバーおよび発光体カバー内の紫外線または青色光が照射される区域は、棒状カバー、発光体カバーおよび発光体の部分であり、予め密封して真空にし、不活性気体を充填することができ、この技術は従来技術による灯管の製作方法と類似するので、詳しい説明は行わない。また、各実施例の構成を適宜組み合わせることも出来ることは勿論であるが、この詳しい説明も行わない。
【００３８】
上述のように、本考案の液晶ディスプレイのエッジライト方式のバックライトの輝度改善構造は、反射される可視光が可視光層の蛍光体または燐光体の表層発光を主とし、従来技術のように、発光体の阻止によって全反射できない欠点を解決し、同時に光線が蛍光体を透過して減衰するのを防止でき、すべての照明部材、設備、装置への応用および製造関連領域に適用される
【００３９】
以上の詳細な説明は本考案の好適な実施例を示したものであり、本考案の実施範囲を限定するものではない。本考案の特許請求の範囲の同等効果の変更および修飾はすべて本考案に含まれる。
【図面の簡単な説明】
【００４０】
【図１】従来技術の液晶ディスプレイのバックライトモジュールの構造を示す断面図である。
【図２】米国特許５，７３９，８７９号の構造を示す断面図である。
【図３】台湾専利申請号第９４１２０６６９号の構造を示す断面図である。
【図４】本考案の一実施例を示す断面図である。
【図５】本考案に導光板を接続した実施例を示す断面図である。
【図６】本考案に導光板を接続したもう一つの実施例を示す断面図である。
【図７】本考案のそれぞれ異なる発光体を実施した実施例を示す断面図である。
【図８】本考案のそれぞれ異なる発光体を実施した実施例を示す断面図である。
【図９】本考案のそれぞれ異なる発光体を実施した実施例を示す断面図である。
【図１０】本考案のそれぞれ異なる発光体を実施した実施例を示す断面図である。
【図１１】本考案のバックライト構造の異なる実施形態を示す断面図である。
【図１２】本考案のバックライト構造の異なる実施形態を示す断面図である。
【図１３】本考案のバックライト構造の異なる実施形態を示す断面図である。
【図１４】本考案のバックライト構造の異なる実施形態を示す断面図である。
【図１５】本考案のバックライト構造の異なる実施形態を示す断面図である。
【図１６】本考案のバックライト構造の異なる実施形態を示す断面図である。
【図１７】図１６に示す実施例に基づいた他の実施例を示す断面図である。
【図１８】図１７に示す実施例に基づいた他の実施例を示す断面図である。
【図１９】図１７に示す実施例に基づいた他の実施例のもう一つの実施形態を示す断面図である。
【図２０】本考案の対称の発光体を設置した実施形態を示す断面図である。
【図２１】図１８に示す実施例に基づいた他の実施例を示す断面図である。
【図２２】図２１に示す実施例に基づいた他の実施例を示す断面図である。
【符号の説明】
【００４１】
２、２ａ〜２ｆ、２０、１２０、２２０、３２０、４２０、５２０  バックライト構造
３、３ａ〜３ｆ、３０、１３０、２３０、３３０、４３０、５３０  棒状カバー
４、４０、１４０、２４０、３４０  発光体カバー
５、５ａ〜５ｅ、５０、１５０、２５０、３５０、４５０、５５０  発光体
６、６０、１６０、２６０、３６０、３１１、４１１  可視光層
２１、６１、２５１  光反射層
４６１、５６１  蛍光点または燐光点
３５１、４２１、４８０、５８０  光反射カバー
５１、１５１  紫外線または青色光
４２２、５２２  紫外線吸収層
５２  可視光
５５１  光中心軸
７、７０、１７０、２７０、３７０、４７０、５７０  出光部
８、２８０、３８０  導光板
８１  近側辺
８２  光反射面
８３  出光面
８４  遠側辺
３１、４１、４３１、４４１、５３１、５４１  挟持装置
９、１９、１９０、２９０、３９０  紫外線吸収層
１９１  光反射板
９１  ２００  レンズ
Ｌ  垂直法線
θ１、θ２  設置角度
θ３  挟角
【図１】
0003129322.tif 000003
【図２】
0003129322.tif 000004
【図３】
0003129322.tif 000005
【図４】
0003129322.tif 000006
【図５】
0003129322.tif 000007
【図６】
0003129322.tif 000008
【図７】
0003129322.tif 000009
【図８】
0003129322.tif 000010
【図９】
0003129322.tif 000011
【図１０】
0003129322.tif 000012
【図１１】
0003129322.tif 000013
【図１２】
0003129322.tif 000014
【図１３】
0003129322.tif 000015
【図１４】
0003129322.tif 000016
【図１５】
0003129322.tif 000017
【図１６】
0003129322.tif 000018
【図１７】
0003129322.tif 000019
【図１８】
0003129322.tif 000020
【図１９】
0003129322.tif 000021
【図２０】
0003129322.tif 000022
【図２１】
0003129322.tif 000023
【図２２】
0003129322.tif 000024